(57)【特許請求の範囲】
【請求項１】
本体の上部に配設されると共に、その上に電子レンジやオーブントースター等の載置物を載置するトップテーブルであって、
載置物を固定する固定具を取り付けるための固定部を備え、
この固定部は、前記固定具により破ることのできる表面の薄肉部と、この薄肉部の下部に設けられると共に、前記固定具を係止するための係止部とからなると共に、
この固定部は、複数ヶ所設けられて、前記電子レンジやオーブントースター等の載置器具の大きさの違いがあっても良好に固定することができることを特徴とするトップテーブル。
【請求項２】
前記固定部は識別するための目印を備えることを特徴とする請求項１記載のトップテーブル。
【請求項３】
請求項１又は請求項２記載のトップテーブルを備えた冷却貯蔵庫。
【発明の詳細な説明】
【０００１】
【発明の属する技術分野】
本発明は、本体上部に必要に応じて電子レンジを載置することができる天板（トップテーブル）を備えるものに関するものであり、特にトップテーブルを備える冷蔵庫や冷凍庫等の冷却貯蔵庫に関するものである。
【０００２】
【従来の技術】
従来、冷蔵庫の上部は平面で、その上にものを載せることが家庭においてごく一般的に行われている。特に、小型の冷蔵庫では、電子レンジ、オーブントースター等の台所にある調理器具や電化製品を載置することを予め想定して、そのためのトップテーブルを備えたものが存在している。
【０００３】
例えば、実公昭４８−１３９６７号公報には、冷蔵庫の上に電子レンジを載置する際、冷蔵庫本体上面のテーブル板を、電子レンジの底面に装着された脚体が係合する凹所を備えたテーブル板に交換し、電子レンジを安定且つ確実に載置ができるものが開示されてい
る。
【０００４】
【発明が解決しようとする課題】
係る構成によれば、電子レンジを安定的に載置するには有効であるが、トップテーブルを２枚必要とし、さらにトップテーブルを交換可能な構造とするための枠体が必要となるため、トップテーブルを構成する部品点数、及び組立工数が多くなるばかりでなく、使用していないトップテーブルを保管しておく煩わしさが生じていた。
【０００５】
【課題を解決するための手段】
本発明は、上述の課題に鑑みてなされたものであり、請求項１記載の発明は、本体の上部に配設されると共に、その上に電子レンジやオーブントースター等の載置物を載置するトップテーブルであって、この載置物を固定する固定具を取り付けるための固定部を備え、この固定部は、前記固定具により破ることのできる表面の薄肉部と、この薄肉部の下部に設けられると共に、前記固定具を係止するための係止部とからなると共に、この固定部は、複数ヶ所設けられて、前記電子レンジやオーブントースター等の載置器具の大きさの違いがあっても良好に固定することができることを特徴とするトップテーブルである。
【０００６】
請求項２記載の発明は、前記固定部は識別するための目印を備えることを特徴とするトップテーブルである。
【０００７】
【０００８】
請求項３記載の発明は、上述のトップテーブルを備える冷却貯蔵庫である。
【０００９】
【発明の実施の形態】
以下、図面に基づき本発明の実施の形態を詳述する。図１は冷蔵庫１の上に電子レンジ２を載置した状態を示す斜視図で、図２はその断面図である。冷蔵庫１は、前面に冷凍室扉３及び冷蔵室扉４を備えており、本体外箱５の内部には発泡性断熱材６が充填されている。冷蔵庫の上面にはトップテーブル７が設けられ、その上に電子レンジ２等が載置できるようになっている。
【００１０】
本発明では、冷蔵庫１の上部に電子レンジ２を載置した際にそれを安定且つ確実に載置できるよう、固定具８で電子レンジ２を固定できるようになっている。
【００１１】
図３は本発明のトップテーブル７で、図４はその要部断面図である。トップテーブル７はＡＢＳ等の合成樹脂により一体成形されている。尚、電子レンジやオーブントースター等は発熱するため、それらを載置する場合を想定して、トップテーブル７を耐熱性（１００℃程度）のものにしておくことが望ましい。
【００１２】
このトップテーブル７の周辺には凸部９が形成されている。この凸部９はトップテーブル７に小物等を載置した場合に、振動等で前後左右に落ちないようにする役割を果たすものである。この凸部９に囲まれたトップテーブル７の中央の載置部１０は、シボ（皮又は織物等のしわ状のもの）と呼ばれる装飾模様を兼ねた細かな凹凸状（１０μｍ程度の深さ）の加工がされている。このような加工は、載置した電子レンジが振動で動いたりすることのないように安定させる役割も果たしている。
【００１３】
トップテーブル７の載置部１０には、固定部１１が設けられ、固定具８が取り付け可能になっている。この固定部１１は、図３及び図４に示す如く、他の部分と識別できるように目印が設けられている。即ち、この実施例では、載置部１０全体にシボ加工が施されているのに対して、固定部１１には何ら加工が施されておらず、他の部分と識別することができる目印の役割を果たしている。
【００１４】
固定部１１の表面は厚さが０．５ｍｍ程度の薄肉部１２を備え、その下にはネジ等と嵌合するボス等の係止部１３を備えている。即ち、固定具８で電子レンジを固定しようとする際、この固定具８により、固定部１１の表面の薄肉部１２を破ることができ、そしてその下に埋め込まれている係止部１３で固定具８を係止させることにより、電子レンジ２を確実に取り付けることができる。
【００１５】
固定具８は、例えば、止金具８ａ及びこの止金具８ａを固定するためのネジ８ｂからなっている。即ち、このネジ８ｂによって、固定部１１の薄肉部１２を簡単に破り、その下のボスと係止させることができる。止金具８ａには、ネジ８ｂが貫通する孔が設けられており、この孔は載置物の大きさ等により固定位置が微調整できるよう、長孔形状にになっている。
【００１６】
図５はトップテーブル７の載置部１０に固定部１１を複数ヶ所設けた例を示し、図６はその要部断面図である。固定部１１を複数ヶ所設けることにより、大きな形状の止金具８ａを用いることもでき、より安定して電子レンジ２を載置することができる。使用しない固定部１１は、薄肉部１２で覆われているため、識別は可能であるが、あまり目立たないようになっており、外観上何ら問題は生じない。
【００１７】
図７〜図１０は、複数ヶ所設けた固定部１１を備えるトップテーブル７に、電子レンジ２を載置する際の位置関係を示すものである。図７は電子レンジ２の後方中央部で固定した状態を示し、図８は電子レンジ２の前方中央下部で固定した状態を示し、図９は電子レンジ２の後方左側部と前方右下部の二ヶ所で固定した状態を示し、図１０は電子レンジ２の後方中央部（大型止金具を使用）と右側部の二ヶ所で固定した状態を示している。このように、固定部１１を複数ヶ所設けることにより、電子レンジやオーブントースター等の載置器具の大きさの違いがあっても良好に固定することができ、且つ複数ヶ所でより強固に固定することも可能である。また、電子レンジ２の位置も、載置部１０内で自由に調整することができるため、例えば、流し台に近い方に固定したりすることも可能で、使用者の使い勝手のよさを向上させることができる。
【００１８】
図１１は、トップテーブル７の載置部１０にシボ加工を施さない場合の実施例を示すものであり、図１２はその要部断面図、図１３は載置部１０に固定部１１を複数ヶ所設けた例を示す図、図１４はその要部断面図である。
【００１９】
シボ加工を施さない場合、固定部１１を認識させるために、固定部１１の周囲に凹状又は凸状の目印１４を設けている。この目印１４は、固定部１１を使用しない場合に、載置物の障害とならない程度の高さ又は深さに設定するとよい。この実施例における固定部１１も、前述の実施例と同様、薄肉部１２及びボス等の係止部１３を備えている。
【００２０】
尚、本実施例は冷蔵庫の場合を例にして説明したが、冷凍庫等の冷却貯蔵庫であってもよいのは言うまでもない。また、上面に電子レンジやオーブントースター等の載置物を載置できるものであれば何でもよく、例えば、米びつ等の貯蔵容器のトップテーブルとしても使用することも可能である。
【００２１】
【発明の効果】
以上詳述した如く、請求項１の発明によれば、トップテーブルの上に電子レンジやオーブントースター等の載置物を載置する際、固定具を固定部に係止することにより、簡単且つ強固に載置物を固定することができ、少なくとも二ヶ所以上の固定部を設けた構成のため、大きさの異なる載置物でも、その大きさに合わせて適当に調整して固定することができる。
【００２２】
また、請求項２の発明によれば、固定部に目印が施されているため、容易に固定することができる。さらに、載置物を固定しない場合でも、固定部が載置部の妨げにならないように構成されているため、従来のように交換用のテーブル板等が不要である。
【００２３】
【００２４】
また、請求項３に記載の発明によれば、本体上部を有効に利用することができると共に、安定して載置物を載置できる冷却貯蔵庫を提供することができる。
【図面の簡単な説明】
【図１】  冷蔵庫本体上部に電子レンジを載置した状態を示す斜視図である。
【図２】  冷蔵庫本体上部に電子レンジを載置した状態を示す要部断面図である。
【図３】  本発明によるトップテーブルの一実施例を示す斜視図である。
【図４】  図３のＡ−Ａ断面図である。
【図５】  本発明によるトップテーブルに複数の固定部を設けた例である。
【図６】  図５のＢ−Ｂ断面図である。
【図７】  本発明のトップテーブルに載置物を固定した第一の例を示す図である。
【図８】  本発明のトップテーブルに載置物を固定した第二の例を示す図である。
【図９】  本発明のトップテーブルに載置物を固定した第三の例を示す図である。
【図１０】  本発明のトップテーブルに載置物を固定した第四の例を示す図である。
【図１１】  本発明によるトップテーブルの他の実施例を示す斜視図である。
【図１２】  図１１のＣ−Ｃ断面図であり、（ａ）目印が凹部の場合、（ｂ）目印が凸部の場合を示す図である。
【図１３】  本発明によるトップテーブルに複数の固定部を設けた例である。
【図１４】  図１３のＤ−Ｄ断面図であり、（ａ）目印が凹部の場合、（ｂ）目印が凸部の場合を示す図である。
【符号の説明】
１  冷蔵庫
２  電子レンジ（載置物）
７  トップテーブル
８  固定具
１１  固定部
１２  薄肉部
１３  係止部
【図１】
0003749023.tif 000002
【図２】
0003749023.tif 000003
【図３】
0003749023.tif 000004
【図４】
0003749023.tif 000005
【図５】
0003749023.tif 000006
【図６】
0003749023.tif 000007
【図７】
0003749023.tif 000008
【図８】
0003749023.tif 000009
【図９】
0003749023.tif 000010
【図１０】
0003749023.tif 000011
【図１１】
0003749023.tif 000012
【図１２】
0003749023.tif 000013
【図１３】
0003749023.tif 000014
【図１４】
0003749023.tif 000015